(57)【特許請求の範囲】
【請求項１】
一方の配管ラックと他方の配管ラックとの間隔が所定範囲内にあれば、該間隔がどの程度であっても対応して両配管ラックを連結することができる配管ラックの連結金具であって、一方の配管ラックの端部に設けられた連結孔に対応する取付孔を介して配管ラック面に取り付けられる取着部を一方端部近傍に形成し、他方端部には、その端部から所定余長を見込んだ位置に、他方の配管ラックの端部に設けられた連結孔に対応する取付孔を設け、その取付孔近傍一帯に、他の配管ラックの連結孔に重なる取付孔を穿設可能な調節部を備えてなることを特徴とする配管ラックの連結金具。
【発明の詳細な説明】
【０００１】
【発明の属する技術分野】
本発明は、配管ラックの連結金具に関する。
【０００２】
【従来の技術】
大型エアコンの配管ラックなどにあっては、規格化された所定長に切断されており、端部には配管ラックの連結金具を用いて配管ラック相互を連結するための連結孔が予め穿設されている。しかしながら、現場にて配管ラックの連結金具を用いて配管ラック相互を連結配設していくと、コーナー部などで、配管ラックが寸足らずになったり寸余りになったりして、連結金具の両端にそれぞれ予め穿設された取付孔に対し、端尺が生じる。
【０００３】
そこで、端尺が生じた場合、配管ラックの端尺を現場にて切り落とすことになる。すると、予め端部に設けられていた連結孔も切り落とされてしまうため、新たに端部になった部分に、連結孔を穿設する必要が生じる。
【０００４】
【発明が解決しようとする課題】
ところで、端尺は各コーナー毎に頻繁に生ずる可能性があり、上述のような現場における端尺の切り落とし作業や新たな連結孔の穿設作業にあっては非常に面倒な作業であるので、作業時間が嵩むとともに配管ラックが余分に必要になってコストも高くなるという問題点があった。
【０００５】
本発明は、このような問題点を解決するためになされたものであり、端尺の切断作業が減少し、切断工具の使用頻度が減少する、省施工の図れる、優れる、配管ラックの連結金具を提供することにある。
【０００６】
【課題を解決するための手段】
本発明は上記の問題点を解決するために、請求項１記載の発明にあっては、一方の配管ラックと他方の配管ラックとの間隔が所定範囲内にあれば、該間隔がどの程度であっても対応して両配管ラックを連結することができる配管ラックの連結金具であって、一方の配管ラックの端部に設けられた連結孔に対応する取付孔を介して配管ラック面に取り付けられる取着部を一方端部近傍に形成し、他方端部には、その端部から所定余長を見込んだ位置に、他方の配管ラックの端部に設けられた連結孔に対応する取付孔を設け、その取付孔近傍一帯に、他の配管ラックの連結孔に重なる取付孔を穿設可能な調節部とを備えてなることを特徴とする。
【０００７】
【発明の実施の形態】
以下、本発明に係る一実施の形態の配管ラックの連結金具を図１、図２を用いて詳細に説明する。図１は同幅の配管ラック同士を接続する配管ラックの連結金具を説明する斜視図、図２は異なる幅の配管ラック同士を接続する配管ラックの連結金具を説明する斜視図である。
【０００８】
図１において、Ａは配管ラック、１は配管ラックの連結金具である。配管ラックＡは、断面コ字形の２本の鋼板製の本体Ａ1,Ａ1 と、該２本の本体Ａ1,Ａ1 を平行に保つための複数の支持材Ａ2,…Ａ2 とを含んで構成される。配管ラックＡは、規格化された所定寸法に切断されている。本体Ａ1,Ａ1 は互いにコ字形の開口部が向き合うようにされたうえで、適宜間隔毎に配設される支持材Ａ2,…Ａ2 にて平行に保たれている。本体Ａ1 の両端部近傍には、従来の連結金具（図示せず）を用いて配管ラックＡ同士を連結するための連結孔Ａ10，Ａ10が、予め穿設されている。連結金具１は、これに限定されるものではないが、例えば断面Ｌ字形の鋼板製のものである。
【０００９】
連結金具１の一方端部近傍には、本体Ａ1 の連結孔Ａ10，Ａ10に対応する取付孔１ａ，１ａを設けた取着部１０が形成されてなり、他方端部側には、端部から所定余長を見込んだ位置に本体Ａ1 の連結孔Ａ10，Ａ10に対応する取付孔１ｂ，１ｂが穿設されており、この取付孔１ｂ，１ｂ近傍一帯が調節部１１とされている。
【００１０】
上述のような連結金具１は次のように使用される。すなわち、規格化された所定長に切断され、両端部に連結孔Ａ10，…Ａ10が穿設されている複数の配管ラックＡ，…Ａを、規格化された所定長で且つ両端に取着部１０の形成されている従来の連結金具（図示せず）を用いながら、配管ラックＡを所望位置から所望位置へ連結延長しながら配設作業を進める。
【００１１】
そして、コーナーあるいは終端にさしかかると、コーナー金具（図示せず）やエンド金具（図示せず）を用いて連結処置を施すのであるが、配管ラックＡは、規格化された所定長に切断されたうえに、連結孔Ａ10，…Ａ10が両端に予め穿設されたものであるので、現場の必要長さに一致することは殆どなく、端尺を生じる。
【００１２】
つまり、連結してきた配管ラックＡの端部の連結孔Ａ10，…Ａ10に連結金具１の取付孔１ａ，１ａを合わせて連結金具１を固定した場合、連結金具１の取付孔１ｂ，１ｂの位置が他方の配管ラックＡの連結孔Ａ10，…Ａ10の位置に一致すれば良いのであるが、若干ずれているような場合、この連結金具１にあっては調節部１１が設けられているので、他方の配管ラックＡの連結孔Ａ10，…Ａ10の位置に合わせて、調節部１１に新たな取付孔１ｃ，１ｃをドリルなどを用いて穿設することができる。
【００１３】
上述のようにして、新たに取付孔１ｃ，１ｃを穿設した連結金具１にあっては、連結してきた配管ラックＡの先端部と他方の配管ラックＡの先端部とを、ビスＢ，…ＢとナットＣ，…Ｃとを用いて、次のように連結することができる。
【００１４】
すなわち、連結する配管ラックＡ，Ａに、連結金具１，１を外側からそれぞれ宛てがう。そして、先ず、連結してきた配管ラックＡの連結孔Ａ10，Ａ10に連結金具１の取付孔１ａ，１ａを一致させ、連結してきた配管ラックＡの先端部に連結金具１，１の取着部１０を重ねて、ビスＢ，…ＢとナットＣ，…Ｃとを用いて取着する。すると、調節部１１に穿設されている取付孔１ｃ，１ｃは、他方の配管ラックＡの連結孔Ａ10，Ａ10に必然的に一致する。そこで、他方の配管ラックＡの端部に、ビスＢ，…ＢとナットＣ，…Ｃとを用いて連結金具１，１の調節部１１，１１を取着することができる。
【００１５】
つまり、この連結金具１にあっては、調節部１１が余分に設けられているので、予め穿設されいる取付孔１ｂ，１ｂが合わないような場合であっても、調節部１１の調節可能範囲内の端尺の発生であれば、調節部１１に新たに取付孔１ｃ，１ｃを穿設することで、配管ラックＡの端部を切断することなく、連結してきた配管ラックＡの先端部と、他方の配管ラックＡの先端部とを連結することができる。
【００１６】
次に、図２を用いて、他の配管ラックの連結金具を説明する。この図２に示す配管ラックの連結金具は、前述した図１に示す連結金具１が同幅の配管ラック同士を接続するものであったのに対し、異なる幅の配管ラック同士を接続するものである。
【００１７】
図２において、Ａ，Ｅは配管ラック、２は配管ラックの連結金具である。配管ラックＡは、前述した図１に示す配管ラックＡと同じものである。従って、配管ラックＡの詳細な説明は省略する。配管ラックＥは、断面コ字形の２本の鋼板製の本体Ｅ1,Ｅ1 と、該２本の本体Ｅ1,Ｅ1 を平行に保つための複数の支持材Ｅ2,…Ｅ2 とを含んで構成される。配管ラックＥの支持材Ｅ2 は配管ラックＡの支持材Ａ2 よりも短くされている。つまり、配管ラックＥの幅は、配管ラックＡの幅より狭い。なお、配管ラックＥの本体Ｅ1 と配管ラックＡの本体Ａ1 との断面形状は同じにされている。
【００１８】
配管ラックＥは、予め規格化された所定寸法に切断されている。本体Ｅ1,Ｅ1 は互いにコ字形の開口部が向き合うようにされたうえで、適宜間隔毎に配設される支持材Ｅ2,…Ｅ2 にて平行に保たれている。本体Ｅ1 の両端部近傍には、従来の連結金具（図示せず）を用いて配管ラックＡと配管ラックＥとを連結するための連結孔Ｅ10，Ｅ10が、予め穿設されている。
【００１９】
連結金具２は、これに限定されるものではないが、例えば断面一文字形の鋼板製のものであり、二個所でそれぞれ９０度づつ折り曲げられて略Ｚ字形に形成されている。この連結金具２の一方端部近傍には、本体Ｅ1 の連結孔Ｅ10，Ｅ10に対応する取付孔２ａ，２ａを予め穿設した取着部２０が形成されている。また、連結金具２の他方端部を含む片には、端部から所定余長を見込んだ位置に本体Ａ1 の連結孔Ａ10，Ａ10に対応する取付孔２ｂ，２ｂが穿設されており、この取付孔２ｂ，２ｂ近傍一帯が調節部２１とされている。
【００２０】
上述のような連結金具２は次のように使用される。すなわち、規格化された所定長に切断され、両端部に連結孔Ａ10，…Ａ10が穿設されている複数の配管ラックＡ，…Ａを、規格化された所定長で且つ両端に取着部１０の形成されている従来の連結金具（図示せず）を用いながら、配管ラックＡを所望位置から所望位置へ連結延長しながら配設作業を進める。
【００２１】
そして、コーナーあるいは終端にさしかかると、コーナー金具（図示せず）やエンド金具（図示せず）を用いて連結処置を施すのであるが、配管ラックＡは、規格化された所定長に切断されたうえに、連結孔Ａ10，…Ａ10が両端に予め穿設されたものであるので、現場の必要長さに一致することは殆どなく、端尺を生じる。
【００２２】
つまり、配管ラックＥの端部の連結孔Ｅ10，…Ｅ10に連結金具２の取付孔２ａ，２ａを合わせて連結金具２を固定した場合、連結金具２の取付孔２ｂ，２ｂの位置が他方の配管ラックＡの連結孔Ａ10，…Ａ10の位置に一致すれば良いのであるが、若干ずれているような場合、この連結金具２にあっては調節部２１が設けられているので、他方の連結してきた配管ラックＡの先端部の連結孔Ａ10，…Ａ10の位置に合わせて、調節部２１に新たな取付孔２ｃ，２ｃをドリルなどを用いて穿設することができる。
【００２３】
上述のようにして、新たに取付孔２ｃ，２ｃを穿設した連結金具２にあっては、配管ラックＥの先端部と連結してきた配管ラックＡの先端部とを、ビスＢ，…ＢとナットＣ，…Ｃとを用いて、次のように連結することができる。
【００２４】
すなわち、連結する配管ラックＥと配管ラックＡとに、連結金具２，２を外側からそれぞれ宛てがう。そして、先ず、配管ラックＥの連結孔Ｅ10，Ｅ10に連結金具２の取付孔２ａ，２ａを一致させ、配管ラックＥの先端部に連結金具２，２の取着部２０を重ねて、ビスＢ，…ＢとナットＣ，…Ｃとを用いて取着する。すると、調節部２１に穿設されている取付孔２ｃ，２ｃは、連結してきた配管ラックＡの連結孔Ａ10，Ａ10に必然的に一致する。そこで、連結してきた配管ラックＡの端部に、ビスＢ，…ＢとナットＣ，…Ｃとを用いて連結金具２，２の調節部２１，２１を取着することができる。
【００２５】
つまり、この連結金具２にあっては、調節部２１が余分に設けられているので、予め穿設されいる取付孔２ｂ，２ｂが合わないような場合であっても、調節部２１の調節可能範囲内の端尺の発生であれば、調節部２１に新たに取付孔１ｃ，１ｃを穿設することで、配管ラックＡの端部を切断することなく、配管ラックＥの先端部と、他方の連結してきた配管ラックＡの先端部とを連結することができる。
【００２６】
なお、図２における連結金具２にあっては、配管ラックＡの端部に接続される側に調節部を設けているが、配管ラックＥの端部に接続される側に調節部を設けるようにすることもできる。
【００２７】
また、上述のような連結金具１や連結金具２を用いても、端尺が、連結金具１の調節部１１の調節可能範囲や連結金具２の調節部２１の調節可能範囲を超えるような場合、配管ラックＡや配管ラックＥを切断しなくてはならないことは言うまでもない。
【００２８】
【発明の効果】
請求項１記載の発明によれば、調節部における取付孔の穿設位置をある程度の自由度をもって設定することができるので、配管ラックにある程度の端尺が生じても、配管ラックを切断しなければならない事態を回避することができ、切断工具の使用頻度が減少する、省施工の図れる、優れる、配管ラックの連結金具を提供できるという効果を奏する。
【図面の簡単な説明】
【図１】本発明に係る一実施の形態の配管ラックの連結金具を説明する斜視図である。
【図２】本発明に係る他の実施の形態の配管ラックの連結金具を説明する斜視図である。
【符号の説明】
１      配管ラックの連結金具
１ａ    取付孔
１０    取着部
１１    調節部
Ａ      配管ラック
Ａ10    連結孔
２      配管ラックの連結金具
２ａ    取付孔
２０    取着部
２１    調節部
Ｅ      配管ラック
Ｅ10    連結孔
【図１】
0003646554.tif 000002
【図２】
0003646554.tif 000003